(57)【要約】      （修正有）【課題】プロジェクタ装置の設置位置にかかわらず、投影した影像に合った位置から音声を出力できるようにする。【解決手段】スクリーン面に対して映像を投影するための映像投射部と、前記スクリーン面に対して指向性のある音を反射させてスクリーン観察者にスクリーン面の所定位置からの音像を形成するように音声を出力する指向性スピーカと、スクリーン面に投影される映像との相対的位置関係を取得する相対的位置関係取得部と、取得した相対的位置関係を利用して指向性スピーカを制御する指向性スピーカ制御部と、を有することを特徴とするプロジェクタ装置を提案する。【選択図】図１
2010056710.tif 000002
【特許請求の範囲】
【請求項１】
スクリーン面に対して映像を投影するための映像投射部と、
前記スクリーン面に対して指向性のある音を反射させてスクリーン観察者にスクリーン面の所定位置からの音像を形成するように音声を出力する指向性スピーカと、
スクリーン面に投影される映像との相対的位置関係を取得する相対的位置関係取得部と、
取得した相対的位置関係を利用して指向性スピーカを制御する指向性スピーカ制御部と、
を有するプロジェクタ装置。
【請求項２】
相対的位置関係取得部は、
映像投射部が映像を投影する向きに向けられたカメラ手段と、
カメラ手段が捕らえる映像投射部から投影されたスクリーン面上の映像のカメラ映像フレーム内に占めるサイズを取得するサイズ取得手段と、
カメラ手段が捕らえる映像投射部から投影されたスクリーン面上の映像のカメラ映像フレーム内の二次元的位置を取得する二次元的位置取得手段と、
カメラ手段のオートフォーカス機能によって演算されるスクリーン面までの距離を取得する距離取得手段と、
取得された前記サイズ、前記二次元的位置、前記距離に基づいて前記相対的位置を演算する相対的位置演算手段と、
からなる請求項１に記載のプロジェクタ装置。
【請求項３】
指向性スピーカ制御部は、
音量制御手段を有する請求項１又は２に記載のプロジェクタ装置。
【請求項４】
指向性スピーカ制御部は、
前記反射音の広がり具合を制御するための音広がり制御手段を有する請求項１から３のいずれか一に記載のプロジェクタ装置。
【請求項５】
サイズ取得手段又は／および二次元的位置取得手段がサイズ又は／および二次元的位置を取得するための読取専用マーカを映像投射部に対して出力する読取専用マーカ出力部と、
読取専用マーカを認識してサイズ又は／および二次元的位置を演算して、サイズ取得手段又は／および二次元的位置取得手段に演算結果を出力する演算部と、
を有する請求項２又は請求項２に従属する請求項３又は４のいずれか一に記載のプロジェクタ装置。
【請求項６】
指向性スピーカ制御部からスクリーン面上での反射位置を取得する反射位置取得部と、
取得した反射位置に反射位置マーカを投影するための反射位置マーカ画像を映像投射部に出力する反射位置マーカ画像出力部と、
を有する請求項１から５のいずれか一に記載のプロジェクタ装置。
【請求項７】
指向性スピーカ制御部に対して利用者が制御情報を入力するための入力部を有する請求項１から６のいずれか一に記載のプロジェクタ装置。
【請求項８】
前記反射音を拾うための反射音マイク部を有し、
指向性スピーカ制御部は、反射音マイク部にて拾った反射音に基づいて指向性スピーカを制御するフィードバック制御手段を有する請求項１から７のいずれか一に記載のプロジェクタ装置。
【請求項９】
請求項１から８のいずれか一に記載のプロジェクタ装置と、電子機器と、からなるプロジェクタシステムであって、
電子機器は、
プロジェクタ装置の映像投射部に対してコンテンツを出力するコンテンツ出力部を有するとともに、
プロジェクタ装置の指向性スピーカ、相対的位置関係取得部、指向性スピーカ制御部に代えてこれらとそれぞれ同機能を有する外部指向性スピーカ、外部相対的位置関係取得部、外部指向性スピーカ制御部を有するプロジェクタシステム。
【請求項１０】
プロジェクタ装置の映像投射部に対してコンテンツを出力するコンテンツ出力部と、
プロジェクタ装置がコンテンツを投影しているスクリーン面に対して指向性のある音を反射させてスクリーン観察者にスクリーン面の所定位置からの音像を形成するように音声を出力する第二指向性スピーカと、
スクリーン面に投影される映像との相対的位置関係を取得する第二相対的位置関係取得部と、
取得した相対的位置関係を利用して第二指向性スピーカを制御する第二指向性スピーカ制御部と、
を有する電子機器。
【請求項１１】
スクリーン面に対して映像を投影するための映像投射ステップと、
前記スクリーン面に対して指向性のある音を反射させてスクリーン観察者にスクリーン面の所定位置からの音像を形成するように音声を出力する指向性スピーカステップと、
スクリーン面に投影される映像との相対的位置関係を取得する相対的位置関係取得ステップと、
取得した相対的位置関係を利用して指向性スピーカを制御する指向性スピーカ制御ステップと、
を有するプロジェクタ制御方法。
【請求項１２】
相対的位置関係取得ステップは、
映像投射部が映像を投影する向きに向けられたカメラサブステップと、
カメラ手段が捕らえる映像投射部から投影されたスクリーン面上の映像のカメラ映像フレーム内に占めるサイズを取得するサイズ取得サブステップと、
カメラ手段が捕らえる映像投射部から投影されたスクリーン面上の映像のカメラ映像フレーム内の二次元的位置を取得する二次元的位置取得サブステップと、
カメラ手段のオートフォーカス機能によって演算されるスクリーン面までの距離を取得する距離取得サブステップと、
取得された前記サイズ、前記二次元的位置、前記距離に基づいて前記相対的位置を演算する相対的位置演算サブステップと、
からなる請求項１１に記載のプロジェクタ制御方法。
【発明の詳細な説明】
【技術分野】
【０００１】
プロジェクタを介して投影された映像をカメラで撮影し、当該カメラから取得した映像に関する情報に基づいて指向性スピーカを制御する指向性スピーカ反射方向制御機能付プロジェクタに関する。
【背景技術】
【０００２】
従来より、利便性の観点からスピーカが一体となっているプロジェクタ装置がある。一方で、そのような構成の場合、音声の発生する位置はプロジェクタ装置の位置であり、映像が投影された位置とは異なる為、視聴者に違和感を抱かせるという問題があった。
【０００３】
そこで、このような問題を解決するために近年指向性の優れたスピーカを搭載するプロジェクタ装置が提案されている。指向性の優れたスピーカとしては、超音波を利用してビーム状に音場を形成するパラメトリックスピーカなどがある（非特許文献１）。そしてこのような指向性スピーカを用い、その方向を映像を投影しているスクリーンに向けた場合、プロジェクタ装置と一体化している指向性スピーカから出力される音声は、周囲へ拡散されることなくスクリーンに到達し、反射する。そして視聴者は当該反射された音声を耳にする。つまり、あたかもスクリーンから音声が出力されているように感じることができるのである。
【発明の開示】
【発明が解決しようとする課題】
【０００４】
しかしながら、このような指向性の優れたスピーカを使用する場合はその方向等を正確に制御する必要がある。本来向けるべき方向に制御されていない場合、視聴者が違和感を抱く方向から指向性鋭く音声が届くばかりか、場合によっては全く届かないということになるからである。そこで、音の再生範囲をスクリーン上に表示するプロジェクタ装置がある（特許文献１）。目に見えない音の再生範囲を表示することで、指向性スピーカの制御をより簡易に行うことができるというものである。但し、指向性スピーカの制御を行うのはあくまで利用者自身であるため、プロジェクタ装置の設置位置を移動した場合は、その都度音の再生範囲を表示し、それに基づいて制御する必要がある。また、プロジェクタ装置から投影される映像光の投影領域に応じて超音波の放射方向を制御するプロジェクタ装置がある（特許文献２）。当該プロジェクタ装置における放射方向の制御は利用者の入力情報に基づいて音像制御手段が動作し、また映像投影機能に基づいて映像投影領域を予測し音像制御手段が動作するものである。つまり、実際にスクリーン面に投影された映像情報ではなく、予測情報に基づいて制御するのである。
【特許文献１】特開2005-236652
【特許文献２】特開2007-043585
【非特許文献１】中島悠輔ほか「携帯型超指向性スピーカの試作」ＮＴＴＤｏＣｏＭｏテクニカル・ジャーナルＶｏｌ．１４  Ｎｏ．１
【課題を解決するための手段】
【０００５】
そこで本発明においては、スクリーン面に対して映像を投影するための映像投射部と、前記スクリーン面に対して指向性のある音を反射させてスクリーン観察者にスクリーン面の所定位置からの音像を形成するように音声を出力する指向性スピーカと、スクリーン面に投影される映像との相対的位置関係を取得する相対的位置関係取得部と、取得した相対的位置関係を利用して指向性スピーカを制御する指向性スピーカ制御部と、を有することを特徴とするプロジェクタ装置を提案する。また、相対的位置関係取得部は映像投射部が映像を投影する向きに向けられたカメラ手段を有し、相対的位置関係を取得するように構成されていてもよい。
【０００６】
また、上記プロジェクタ装置と、電子機器と、からなるプロジェクタシステムであって、電子機器は、プロジェクタ装置の映像投射部に対してコンテンツを出力するコンテンツ出力部を有するとともに、プロジェクタ装置の指向性スピーカ、相対的位置関係取得部、指向性スピーカ制御部に代えてこれらとそれぞれ同機能を有する外部指向性スピーカ、外部相対的位置関係取得部、外部指向性スピーカ制御部を有することを特徴とするプロジェクタシステムを提案する。
【０００７】
また、プロジェクタ装置の映像投射部に対してコンテンツを出力するコンテンツ出力部と、プロジェクタ装置がコンテンツを投影しているスクリーン面に対して指向性のある音を反射させてスクリーン観察者にスクリーン面の所定位置からの音像を形成するように音声を出力する第二指向性スピーカと、スクリーン面に投影される映像との相対的位置関係を取得する第二相対的位置関係取得部と、取得した相対的位置関係を利用して第二指向性スピーカを制御する第二指向性スピーカ制御部と、を有することを特徴とする電子機器を提案する。
【発明の効果】
【０００８】
本発明のプロジェクタ装置は、視聴者が実際に目にする映像との相対的位置関係に基づいて搭載した指向性スピーカを制御することができるため、プロジェクタ装置の設置位置に係わらず、投影した影像に合った位置から音声を出力することができる。また、指向性スピーカの制御を正確に行えるため非常にすぐれた視聴環境を提供することができる。
【発明を実施するための最良の形態】
【０００９】
以下、本件発明の実施の形態について、添付図面を用いて説明する。なお、本件発明は、これら実施形態に何ら限定されるべきものではなく、その要旨を逸脱しない範囲において、種々なる態様で実施し得る。なお、実施形態１は主に請求項１、３、４、１１などに関する。実施形態２は主に請求項２から４、１２などに関する。実施形態３は主に請求項５などに関する。実施形態４は主に請求項６などに関する。実施形態５は主に請求項７などに関する。実施形態６は主に請求項８などに関する。実施形態７は主に請求項９などに関する。実施形態８は主に請求項１０などに関する。
<<実施形態１>>
<実施形態１：概要>
【００１０】
本実施形態は、指向性スピーカを有するプロジェクタ装置であって、スクリーン面に投影される映像との相対的位置関係情報を取得し、当該情報に基づいて指向性スピーカを制御することを特徴とするプロジェクタ装置について説明する。
【００１１】
図１は、本発明に係るプロジェクタ装置を示す概念図である。本発明に係るプロジェクタ装置は（０１０１）は、スクリーン面に映像を投影し（０１０２）、また当該プロジェクタ装置に搭載された指向性スピーカは、スクリーン面の所定位置からの所定の音像を形成するように音声を出力する（場面（ａ））。指向性スピーカが出力した音声は、スクリーン面で反射し、所定の音像（０１０３）を形成する（場面（ｂ））。ここで、スクリーン面上の映像投影位置（０１０４）を変更すると（場面（ｃ））、指向性スピーカは当該投影位置変更に伴って所定位置からの所定の音像を形成するように制御される（場面（ｄ））。
<実施形態１：構成>
【００１２】
本実施形態に係るプロジェクタ装置の機能ブロック図を図２に示す。プロジェクタ装置（０２００）は、映像投射部（０２０１）と、指向性スピーカ（０２０２）と、相対的位置関係取得部（０２０３）と、指向性スピーカ制御部（０２０４）と、を有する。
【００１３】
なお、以下に詳述する本発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。また、映像を処理するための各種のハードウェアが用いられる。（明細書の全体を通じて同様である。）
【００１４】
映像投射部（０２０１）とは、スクリーン面に対して映像を投影する機能を有する。映像投射部（０２０１）は、スクリーン面までの距離、スクリーン面の大きさ、スクリーン面の種類、その他スクリーン面の設置場所などあらゆる投影環境に対応できるようにフォーカス機能、ズーム機能、レンズシフト機能、補正機能などを備えた、従来のプロジェクタ装置と同様である。
【００１５】
指向性スピーカ（０２０２）とは、前記スクリーン面に対して指向性のある音を反射させてスクリーン観察者にスクリーン面の所定位置からの音像を形成するように音声を出力する機能を有する。指向性スピーカの数は特に限定しないが、Ｌ，Ｒの少なくとも２以上が好ましい。ここで、指向性スピーカは特定の方向にだけ音声信号を出力するスピーカであれば特に限定せず、超指向性スピーカであってもよい。かかる超指向性スピーカに関する技術は、例えば非特許文献１に開示されている（非特許文献１：中島悠輔ほか「携帯型超指向性スピーカの試作」ＮＴＴＤｏＣｏＭｏテクニカル・ジャーナルＶｏｌ．１４  Ｎｏ．１参照）ので、かかる公知技術を利用可能である。従って、超指向性スピーカに関する詳細な説明は避けるが、簡単に述べれば、人間が音として知覚できない超音波（一般に周波数２０ｋＨｚ以上の音波）を搬送波とし、音声信号で振幅変調された変調波を非線形が生じる大きな振幅で空気中に放射するものである。すると、変調波が空気中を伝搬する過程で空気の非線形性により二次歪み（出力信号のうち入力信号の二倍の周波数成分をいう）が波長の短い変調波の音場に沿って生じ、仮想的な音源となって指向性の高い音場が形成される。このため、二次歪みの中に含まれる可聴帯域の音声信号のみが復調されて人間の耳にも聞き取ることができるというものである。かかる超指向性スピーカの技術を利用すれば、波長の短い超音波を利用することで小口径のスピーカでも高い指向性の音場を再生できるので、小型のプロジェクタ装置にも搭載可能である。
【００１６】
「スクリーン面の所定位置からの音像を形成するように音声を出力する」とは、言い換えればスクリーン面の所定位置に仮想音源を形成するように音声を出力する、ということである。仮想音源とは、プロジェクタ装置に搭載された指向性スピーカから出力された音声を、あたかもスクリーン面の所定位置から出力されているように構成する仮想的な音源のことである。なお当該仮想音源は、スクリーン面上の指向性スピーカから出力された音波が反射する位置のことである。つまり、観察者は映像が投影されたスクリーン面から音が出力されているものと錯覚するため、映像位置と音声出力位置とに違和感がない。
【００１７】
相対的位置関係取得部（０２０３）とは、スクリーン面に投影される映像との相対的位置関係を取得する機能を有する。「スクリーン面に投影される映像との相対的位置関係」とは、スクリーン面に投影される映像とプロジェクタ装置との相対的位置関係の他、スクリーン面に投影される映像とスクリーン観察者など、利用者が任意に設定する対象、位置との相対的位置関係などであってもよい。以下、スクリーン面に投影される映像とプロジェクタ装置等との相対的位置関係とする。「相対的位置関係」とは、相対的距離、相対的二次元的位置、などをいう。また、投影される映像の大きさ、プロジェクタ装置に備えられた投影レンズ面に対するスクリーン面の角度などを含めてもよい。
【００１８】
当該相対的位置関係を取得する方法としては、プロジェクタ装置との相対的位置関係の場合は、プロジェクタ装置が本来備えている各種機能からの情報に基づく方法がある。ここで、プロジェクタ装置が本来備えている各種機能としては、フォーカス機能や、ズーム機能、レンズシフト機能、キーストーン補正機能などが該当する。また距離センサなどでもよい。
【００１９】
利用者や視聴者との相対的位置関係の場合は、利用者や視聴者が保持するＲＦＩＤなどを検知し、また、利用者や観察者の体温を検知するセンサを利用してその位置情報を取得し、当該位置情報とスクリーン面に投影される位置情報とから当該相対的位置関係を取得するように構成されていてもよい。また、利用者が設定する任意の位置との相対的位置関係の場合は、利用者が当該任意の位置から赤外線等を利用してその位置情報をプロジェクタ装置に送り、当該位置情報とスクリーン面に投影される位置情報とから当該相対的位置関係を取得するように構成されていてもよい。
【００２０】
指向性スピーカ制御部（０２０４）とは、取得した相対的位置関係を利用して指向性スピーカを制御する機能を有する。つまり、前記相対的位置関係取得部（０２０３）にて取得した相対的位置関係を利用して指向性スピーカから出力され、仮想音源にて反射される音声が所望の音像を形成するように制御する。具体的には、仮想音源の位置、仮想音源への入射角、指向性スピーカが出力する音声波の指向性幅などを制御する。なお、仮想音源は必ずしも映像を投影するスクリーン面上でなくてもよい。例えば、電車が視聴者の後方から近づいてくるような映像の場合に、その電車が徐々に近づいてくる臨場感を出すような音像を形成するために壁などに仮想音源を形成する。また、当該相対的位置関係情報に加えて、スクリーンを設置した空間の広さや形状、天井の高さ、壁の位置、屋内か屋外か、など種々の視聴環境情報も利用して制御するように構成されていてもよい。更にスクリーン面の反射の性質、例えば音声波を散乱するのか、鏡面的に反射するのかなどの情報を利用するように構成されていてもよい。
【００２１】
また、本実施形態のプロジェクタ装置は図３のような構成であってもよい。すなわち、プロジェクタ装置（０３００）は、映像投射部（０３０１）と、指向性スピーカ（０３０２）と、相対的位置関係取得部（０３０３）と、指向性スピーカ制御部（０３０４）と、を有し、指向性スピーカ制御部（０３０４）は音量制御手段（０３０５）を有する。音量制御手段（０３０５）以外は前述したとおりであるので、説明は省略する。
【００２２】
音量制御手段（０３０５）は、相対的位置関係取得部（０３０３）にて取得した相対的位置関係を利用して指向性スピーカが出力する音量を制御する機能を有する。当該相対的位置関係情報に加えて前記視聴環境情報も利用するように構成されていてもよい。また、指向性スピーカが複数ある場合は、指向性スピーカ毎に出力する音声のボリュームを制御するように構成されていてもよい。例えば、車が左から右へ移動するような映像の場合、その移動に合わせて左から右へボリュームを制御する。
【００２３】
また、本実施形態のプロジェクタ装置は図４のような構成であってもよい。すなわち、プロジェクタ装置（０４００）は、映像投射部（０４０１）と、指向性スピーカ（０４０２）と、相対的位置関係取得部（０４０３）と、指向性スピーカ制御部（０４０４）と、を有し、指向性スピーカ制御部（０４０４）は音の広がり制御手段（０４０５）を有する。音の広がり制御手段（０４０５）以外は前述したとおりであるので、説明は省略する。
【００２４】
音の広がり制御手段（０４０５）とは、前記反射音の広がり具合を制御する機能を有する。「反射音の広がり具合」とは、反射音の散乱の程度のことである。指向性スピーカから出力される音声の指向性の程度、つまり指向性幅を制御することにより行う。例えば、超音波スピーカの場合は、搬送波である超音波の周波数を制御することにより指向性を制御する。搬送波周波数を高くするほどに指向性は鋭くなり、搬送波周波数を低くするほどに指向性は鈍くなるからである。
<実施形態１：ハードウェア上における処理の具体例>
【００２５】
図５は、本実施形態のプロジェクタ装置のハードウェア構成の一例を示す。以下、図５を用いてプロジェクタ装置におけるハードウェア上の処理動作について説明する。プロジェクタ装置は、各種演算処理を行う「ＣＰＵ」（０５０１）と、「主メモリ」（０５０２）と、「記憶装置」（０５０３）を有している。また、映像を投影する「投影光学系Ｉ／Ｆ」（０５０４）、「投影光学系」（０５０７）及び音を出力する「指向性スピーカＩ／Ｆ」（０５０５）、「指向性スピーカ」（０５０８）、入力を受付ける「入力Ｉ／Ｆ」（０５０６）を有する。
【００２６】
また、「主メモリ」（０５０２）は、各種処理を行うプログラムを「ＣＰＵ」（０５０１）に実行させるために読み出すと同時にそのプログラムの作業領域でもあるワーク領域を提供する。（明細書全体を通じて同じである。）
【００２７】
「入力インタフェース」（０５０６）により映像の投影操作が開始されると、「主メモリ」（０５０２）に相対性位置関係取得プログラムが呼び出され「ＣＰＵ」（０５０１）にて実行され、相対的位置関係を取得する。また「主メモリ」（０５０２）に指向性スピーカ制御プログラムが呼び出され、「ＣＰＵ」（０５０１）にて実行する。そして相対的位置関係に基づいて指向性スピーカ制御命令がなされ、当該命令に基づいて「指向性スピーカＩ／Ｆ」（０５０５）により「指向性スピーカ」（０５０５）が制御される。
【００２８】
なお、図５を用いて説明したハードウェア上の処理はあくまで処理の概要を説明するものである。
<実施形態１：処理の流れ>
【００２９】
図６は、本実施形態に係るプロジェクタ装置における処理の流れを示すフロー図の一例である。
【００３０】
最初に、スクリーン面に映像を投影する（Ｓ０６０１）。そしてスクリーン面に投影される映像との相対的位置関係情報を取得し（Ｓ０６０２）、当該相対的位置関係情報を利用して指向性スピーカを制御する（Ｓ０６０３）。
【００３１】
なお、図６のフロー図は、計算機に実行させるプログラムの処理フロー図とみなすことも可能である。さらに、このようなプログラムをフレキシブルディスク等の媒体に記録することも可能である。（明細書の全体を通じて同様である。）
<実施形態１：効果>
【００３２】
本実施形態によれば、投影する映像に合わせた音像を実現できる。
<<実施形態２>>
<実施形態２：概要>
【００３３】
本実施形態は、カメラ機能を備えるプロジェクタ装置であって、当該カメラ機能に基づいてスクリーン面に投影される映像との相対的位置関係を取得することを特徴とするプロジェクタ装置について説明する。
<実施形態２：構成>
【００３４】
本実施形態にかかるプロジェクタ装置の機能ブロック図を図７に示す。プロジェクタ装置（０７００）は、映像投射部（０７０１）と、指向性スピーカ（０７０２）と、相対的位置関係取得部（０７０３）と、指向性スピーカ制御部（０７０４）と、を有し、相対的位置関係取得部（０７０３）は、カメラ手段（０７０５）と、サイズ手段（０７０６）と、二次元的位置取得手段（０７０７）と、距離取得手段（０７０８）と、相対的位置演算手段（０７０９）とを有する。カメラ手段（０７０５）と、サイズ手段（０７０６）と、二次元的位置取得手段（０７０７）と、距離取得手段（０７０８）と、相対的位置演算手段（０７０９）以外の構成については前述したとおりであるので、ここでの説明は省略する。
【００３５】
カメラ手段（０７０５）とは、映像投射部（０７０１）が映像を投影する向きに向けられており、カメラ機能を有する。プロジェクタ装置（０７００）の本体部分に内蔵されているか否かは問わない。例えば、部屋の天井や壁に設置されているものであってもよい。また、映像投射部（０７０１）が投射したスクリーン面上の映像を当該映像として認識するものでもよく、当該映像とは認識せず単にカメラ機能を有するに過ぎないものでもよい。前者の場合は、例えば映像が投影されている明るい部分と映像が投影されていない暗い部分とを認識して、当該映像を認識する。後者の場合は、後述するサイズ手段（０７０６）、二次元的位置取得手段（０７０７）、距離取得手段（０７０８）がスクリーン面上の映像を当該映像として認識する。
【００３６】
サイズ手段（０７０６）とは、カメラ手段が捕らえる映像投射部（０７０１）から投影されたスクリーン面上の映像のカメラ映像フレーム内に占めるサイズを取得する機能を有する。当該サイズを取得する方法としては、例えばカメラ手段が備えるズーム機能を利用する。
【００３７】
二次元的位置取得手段（０７０７）とは、カメラ手段が捕らえる映像投射部（０７０１）から投影されたスクリーン面上の映像のカメラ映像フレーム内の二次元的位置を取得する機能を有する。「二次元的位置」とは、スクリーン面上での二次元的位置のことをいう。取得手段としては、例えば投影された映像と前記カメラ手段（０７０５）がとらえた映像とを比較して、カメラ手段がとらえた映像における投射映像の位置を演算する。
【００３８】
距離取得手段（０７０８）とは、カメラ手段のオートフォーカス機能によって演算されるスクリーン面までの距離を取得する機能を有する。「スクリーン面までの距離」とは、視聴者やプロジェクタ装置、指向性スピーカからスクリーン面までの距離のことをいう。また距離センサなどでもよい。
【００３９】
相対的位置演算手段（０７０９）とは、取得された前記サイズ、前記二次元的位置、前記距離に基づいて前記相対的位置を演算する機能を有する。
<実施形態２：ハードウェア上における処理の具体例>
【００４０】
図８は、本実施形態のプロジェクタ装置のハードウェア構成の一例を示す。以下、図８を用いてプロジェクタ装置におけるハードウェア上の処理動作について説明する。プロジェクタ装置は、各種演算処理を行う「ＣＰＵ」（０８０１）と、「主メモリ」（０８０２）と、「記憶装置」（０８０３）を有している。また、映像を投影する「投影光学系Ｉ／Ｆ」（０８０４）、「投影光学系」（０８０８）及び音を出力する「指向性スピーカＩ／Ｆ」（０８０５）、「指向性スピーカ」（０８０９）、入力を受付ける「入力Ｉ／Ｆ」（０８０６）、スクリーン面に投影された映像をとらえる「カメラＩ／Ｆ」（０８０７）、「カメラ」（０８１０）を有する。
【００４１】
「入力インタフェース」（０８０６）により映像の投影操作が開始されると、「主メモリ」（０８０２）にサイズ取得プログラム、二次元的位置取得プログラム、距離取得プログラムが呼び出され「ＣＰＵ」（０８０１）にて実行され、サイズ、二次元的位置、距離を取得する。その後、相対的位置演算プログラムが呼び出され「ＣＰＵ」（０８０１）にて実行される。また「主メモリ」（０８０２）に指向性スピーカ制御プログラムが呼び出され、「ＣＰＵ」（０８０１）にて実行する。そして相対的位置演算結果に基づいて指向性スピーカ制御命令がなされ、当該命令に基づいて「指向性スピーカＩ／Ｆ」（０８０５）により「指向性スピーカ」（０８０８）が制御される。
<実施形態２：処理の流れ>
【００４２】
図９に本実施形態に係るプロジェクタ装置の処理の流れを示すフロー図を例示する。
【００４３】
最初にスクリーン面に映像を投影する（Ｓ０９０１）。次にプロジェクタ装置に備えられたカメラが当該スクリーン面に投影された映像を認識し（Ｓ０９０２）、認識した映像に関するサイズ、二次元的位置、距離情報を取得する（Ｓ０９０３）。そして取得したサイズ、二次元的位置、距離情報に基づいて相対的位置を演算し（Ｓ０９０４）、投影された映像との相対的位置関係を取得する（Ｓ０９０５）。取得した相対的位置関係を利用して指向性スピーカを制御する（Ｓ０９０６）。
<実施形態２：効果>
【００４４】
本実施形態によれば、カメラ手段を用いて実際にスクリーン面に投影されている映像との相対的位置関係を把握することができるため、指向性スピーカの制御を高精度に行うことができる。
<<実施形態３>>
<実施形態３：概要>
【００４５】
本実施形態は、カメラ機能を備えるプロジェクタ装置であって、読取専用マーカを利用してスクリーン面に投影された映像のサイズ又は／及び二次元的位置を取得することを特徴とするプロジェクタ装置について説明する。
<実施形態３：構成>
【００４６】
本実施形態にかかるプロジェクタ装置の機能ブロック図を図１０に示す。「プロジェクタ装置」（１０００）は、「映像投射部」（１００１）と、「指向性スピーカ」（１００２）と、「相対的位置関係取得部」（１００３）と、「指向性スピーカ制御部」（１００４）と、「読取専用マーカ出力部」（１０１０）と、「演算部」（１０１１）を有す。また、「相対的位置関係取得部」（１００３）は、「カメラ手段」（１００５）と、「サイズ手段」（１００６）と、「二次元的位置取得手段」（１００７）と、「距離手段」（１００８）と、「相対的位置演算手段」（１００９）とを有する。「読取専用マーカ出力部」（１０１０）と、「演算部」（１０１１）以外の構成については前述したとおりであるので、ここでの説明は省略する。
【００４７】
「読取専用マーカ出力部」（１０１０）とは、サイズ取得手段又は／および二次元的位置取得手段がサイズ又は／および二次元的位置を取得するための読取専用マーカを映像投射部に対して出力する機能を有する。「読取専用マーカ」とは、映像投射部（１００１）から投影されたスクリーン面上の映像のカメラ映像フレーム内に占めるサイズ又は／及び二次元的位置を取得できるマーカであれば特に限定しない。例えば、周囲とのコントラストのはっきりした画像を読取専用マーカとし、当該コントラストに基づいて映像投射部（１００１）から投影されたスクリーン面上の映像のカメラ映像フレーム内に占めるサイズ又は／及び二次元的位置を取得するように構成されていてもよい。また、人間の目には見えない不可視画像を読取専用マーカとしてもよい。かかる場合、本来視聴者が見るべき映像を投影している間も絶えず当該読取専用マーカを出力することができる。そのため見るべき映像を投影中に当該映像のサイズ又は／及び二次元的位置が変動しても、改めて当該読取専用マーカを出力する必要がなく、利便性が高い。
【００４８】
また、当該読取専用マーカはスクリーン面上の映像と同じ面積を占める画像の他、当該映像の外枠のみを示すものでもよい。また当該画像の四隅を示すもの、四隅のうちの対角２点を示すものなどでもよく、この場合、赤外線などを読取専用マーカとして利用できる。なお、赤外線を読取専用マーカとする場合、プロジェクタ装置は赤外線照射部を更に有し、「読取専用マーカ出力部」（１０１０）は読取専用マーカを当該赤外線照射部に対して出力するように構成されていてもよい。映像投射部が、本来視聴者が見るべき映像と赤外線読取専用マーカを同時に出力するのが困難な場合があるからである。
【００４９】
「演算部」（１０１１）とは、読取専用マーカを認識してサイズ又は／および二次元的位置を演算して、サイズ取得手段又は／および二次元的位置取得手段に演算結果を出力する機能を有する。
<実施形態３：ハードウェア上における処理の具体例>
【００５０】
図１１は、本実施形態のプロジェクタ装置のハードウェア構成の一例を示す。以下、図１１を用いてプロジェクタ装置におけるハードウェア上の処理動作について説明する。プロジェクタ装置は、各種演算処理を行う「ＣＰＵ」（１１０１）と、「主メモリ」（１１０２）と、「記憶装置」（１１０３）を有している。また、映像を投影する「投影光学系Ｉ／Ｆ」（１１０４）、「投影光学系」（１１０８）及び音を出力する「指向性スピーカＩ／Ｆ」（１１０５）、「指向性スピーカ」（１１０９）、入力を受付ける「入力Ｉ／Ｆ」（１１０６）を有する。
【００５１】
「入力インタフェース」（１１０６）により映像の投影操作が開始されると、「主メモリ」（１１０２）に読取専用マーカ出力プログラムが呼び出され「ＣＰＵ」（１１０１）にて実行される。また、サイズ取得プログラム、二次元的位置取得プログラムが呼び出され「ＣＰＵ」（０８０１）にて実行され、読取専用マーカを認識してサイズ、二次元的位置を取得する。その後演算プログラムが呼び出され「ＣＰＵ」（１１０１）にて実行される。その後「主メモリ」（１１０２）に指向性スピーカ制御プログラムが呼び出され、「ＣＰＵ」（１１０１）にて実行し、演算結果に基づいて指向性スピーカ制御命令がなされ、当該命令に基づいて「指向性スピーカＩ／Ｆ」（１１０５）により「指向性スピーカ」（１１０８）が制御される。
<実施形態３：処理の流れ>
【００５２】
図１２に本実施形態に係るプロジェクタ装置の処理の流れを示すフロー図を例示する。
【００５３】
最初にスクリーン面に映像を投影する（Ｓ１２０１）。また、投影された映像の読取専用マーカを投影する（Ｓ１２０２）。そしてカメラがスクリーン面に投影された読取専用マーカを認識し（Ｓ１２０３）、認識した読取専用マーカに基づいて投影された映像のサイズ又は／および二次元的位置情報を取得する（Ｓ１２０４）。また、カメラは自身のオートフォーカス機能に基づいてスクリーン面までの距離情報を取得する（Ｓ１２０５）。そして取得したサイズ、二次元的位置、距離に基づいて、スクリーン面に投影された映像との相対的位置関係を演算し、取得する（Ｓ１２０６）。取得した相対的位置関係を利用して指向性スピーカを制御する（Ｓ１２０７）。なお、スクリーン面に映像を投影するステップ（Ｓ１２０１）は、読取専用マーカを利用して指向性スピーカを制御するステップ（Ｓ１２０２からＳ１２０７）後に行ってもよい。
<実施形態３：効果>
【００５４】
本実施形態によれば、読取専用マーカに基づいてスクリーン面に投影される映像との相対的位置関係を把握することができるため、指向性スピーカの制御を高精度に行うことができる。
<<実施形態４>>
<実施形態４：概要>
【００５５】
本実施形態は、スクリーン面上での音の反射位置を反射位置マーカをもって示すことを特徴とするプロジェクタ装置について説明する。
<実施形態４：構成>
【００５６】
本実施形態にかかるプロジェクタ装置の機能ブロック図を図１３に示す。「プロジェクタ装置」（１３００）は、「映像投射部」（１３０１）と、「指向性スピーカ」（１３０２）と、「相対的位置関係取得部」（１３０３）と、「指向性スピーカ制御部」（１３０４）と、「反射位置取得部」（１３０５）と、「反射位置マーカ画像出力部」（１３０６）を有する。「反射位置取得部」（１３０５）と、「反射位置マーカ画像出力部」（１３０６）以外の構成については前述したとおりであるので、ここでの説明は省略する。
【００５７】
「反射位置取得部」（１３０５）とは、指向性スピーカ制御部からスクリーン面上での反射位置を取得する機能を有する。「反射位置」とは、前述した仮想音源のことである。
【００５８】
「反射位置マーカ画像出力部」（１３０６）とは、取得した反射位置に反射位置マーカを投影するための反射位置マーカ画像を映像投射部に出力する機能を有する。反射位置マーカは、指向性スピーカ制御時のみ出力するように構成されていてもよく、赤外線等の不可視マーカの場合は、映像投影中は常に出力するように構成されていてもよい。なお、赤外線を読取専用マーカとする場合、プロジェクタ装置は赤外線照射部を更に有し、「反射位置マーカ画像出力部」（１３０６）は反射位置マーカ画像出力部を当該赤外線照射部に対して出力するように構成されていてもよい。映像投射部が、本来視聴者が見るべき映像と反射位置マーカ画像を同時に出力するのが困難な場合があるからである。
<実施形態４：ハードウェア上における処理の具体例>
【００５９】
図１４は、本実施形態のプロジェクタ装置のハードウェア構成の一例を示す。以下、図１４を用いてプロジェクタ装置におけるハードウェア上の処理動作について説明する。プロジェクタ装置は、各種演算処理を行う「ＣＰＵ」（１４０１）と、「主メモリ」（１４０２）と、「記憶装置」（１４０３）を有している。また、映像を投影する「投影光学系Ｉ／Ｆ」（１４０４）、「投影光学系」（１４０８）及び音を出力する「指向性スピーカＩ／Ｆ」（１４０５）、「指向性スピーカ」（１４０９）、入力を受付ける「入力Ｉ／Ｆ」（１４０６）を有する。
【００６０】
「入力インタフェース」（１４０６）により映像の投影操作が開始されると、「主メモリ」（１４０２）に読取専用マーカ出力プログラムが呼び出され「ＣＰＵ」（１４０１）にて実行される。また、反射位置取得プログラム、反射位置マーカ画像出力プログラムが呼び出され「ＣＰＵ」（０８０１）にて実行され、反射位置が出力される。その後「主メモリ」（１４０２）に指向性スピーカ制御プログラムが呼び出され、「ＣＰＵ」（１４０１）にて実行し、相対的位置関係に基づいて指向性スピーカ制御命令がなされ、当該命令に基づいて「指向性スピーカＩ／Ｆ」（１４０５）により「指向性スピーカ」（１４０８）が制御される。
<実施形態４：処理の流れ>
【００６１】
図１５に本実施形態に係るプロジェクタ装置の処理の流れを示すフロー図を例示する。
【００６２】
最初にスクリーン面に映像を投影する（Ｓ１５０１）。そしてスクリーン面に投影された映像との相対的位置関係を取得し（Ｓ０１５０２）、取得した相対的位置関係を利用して指向性スピーカを制御する（Ｓ１５０３）。次に制御した指向性スピーカから出力された音がスクリーン面上で反射する位置を示す反射位置マーカを出力し（Ｓ１５０４）、反射位置を確認する（Ｓ１５０５）。
<実施形態４：効果>
【００６３】
本実施形態によれば、スクリーン面上に音の反射位置を確認できるため指向性スピーカの制御が容易であり、また制御が適当であるか否かの確認もできる。
<<実施形態５>>
<実施形態５：概要>
【００６４】
本実施形態は、指向性スピーカの制御に対して利用者が制御情報を入力することができることを特徴とするプロジェクタ装置について説明する。
<実施形態５：構成>
【００６５】
本実施形態にかかるプロジェクタ装置の機能ブロック図を図１６に示す。「プロジェクタ装置」（１６００）は、「映像投射部」（１６０１）と、「指向性スピーカ」（１６０２）と、「相対的位置関係取得部」（１６０３）と、「指向性スピーカ制御部」（１６０４）と、「入力部」（１６０５）とを有する。「入力部」（１６０５）以外の構成については前述したとおりであるので、ここでの説明は省略する。
【００６６】
「入力部」（１６０５）とは、指向性スピーカの制御に対して利用者が制御情報を入力するための機能を有する。予め制御情報と指向性スピーカ制御内容とを関連付けしておき、利用者が入力部（１６０５）にて制御情報を入力すると、入力した制御情報に関連付けされた指向性スピーカ制御がなされる。制御情報としては、例えばスクリーン面に投影する映像コンテンツ内容（映画、音楽）や、視聴環境（会場の広さ、天井の高さ等）、視聴者（位置、人数等）などが該当する。また、指向性スピーカ制御内容としては、例えばスクリーン面上の音の反射位置や、反射音の広がり具合、音量、音の出力のタイミングなどが該当する。これら制御情報と指向性スピーカ制御内容とを各種組み合わせて関連付ければよい。具体的には、制御情報が「映像コンテンツ内容：音楽」の場合、指向性スピーカ制御内容を「反射位置：両端」、「反射音の広がり：小さい」とする。この場合、視聴者は音のステレオ感を楽しむことができる。
<実施形態５：ハードウェア上における処理の具体例>
【００６７】
図１７は、本実施形態のプロジェクタ装置のハードウェア構成の一例を示す。以下、図１７を用いてプロジェクタ装置におけるハードウェア上の処理動作について説明する。プロジェクタ装置は、各種演算処理を行う「ＣＰＵ」（１７０１）と、「主メモリ」（１７０２）と、「記憶装置」（１７０３）を有している。また、映像を投影する「投影光学系Ｉ／Ｆ」（１７０４）、「投影光学系」（１７０８）及び音を出力する「指向性スピーカＩ／Ｆ」（１７０５）、「指向性スピーカ」（１７０９）、入力を受付ける「入力Ｉ／Ｆ」（１７０６）を有する。
【００６８】
「入力インタフェース」（１７０６）により映像の投影操作が開始されると、「主メモリ」（１７０２）に相対性位置関係取得プログラムが呼び出され「ＣＰＵ」（１７０１）にて実行され、相対的位置関係を取得する。また、「入力インタフェース」（１７０６）を介して利用者により入力がなされると入力プログラムが「ＣＰＵ」（１７０１）にて実行される。そして「主メモリ」（１７０２）に指向性スピーカ制御プログラムが呼び出され、「ＣＰＵ」（１７０１）にて実行し、相対的位置関係及び入力情報に基づいて指向性スピーカ制御命令がなされ、当該命令に基づいて「指向性スピーカＩ／Ｆ」（１７０５）により「指向性スピーカ」（１７０８）が制御される。
<実施形態５：処理の流れ>
【００６９】
図１８に本実施形態に係るプロジェクタ装置の処理の流れを示すフロー図を例示する。
【００７０】
最初にスクリーン面に映像を投影する（Ｓ１８０１）。そしてスクリーン面に投影された映像との相対的位置関係を取得する（Ｓ１８０２）。また、利用者が指向性スピーカ制御情報を入力する（Ｓ１８０３）。そして、取得した相対的位置関係と入力情報に基づいて指向性スピーカを制御する（Ｓ１８０４）。
<実施形態５：効果>
【００７１】
本実施形態によれば、位置関係情報に加えてその他種々の情報に基づいて指向性スピーカを制御できるため、より利用者の希望に沿った制御が可能となる。
<<実施形態６>>
<実施形態６：概要>
【００７２】
本実施形態は、反射音マイク部を備えるプロジェクタ装置であって、当該マイク部が拾った反射音に基づいて指向性スピーカを制御することを特徴とするプロジェクタ装置について説明する。
<実施形態６：構成>
【００７３】
本実施形態にかかるプロジェクタ装置の機能ブロック図を図１９に示す。「プロジェクタ装置」（１９００）は、「映像投射部」（１９０１）と、「指向性スピーカ」（１９０２）と、「相対的位置関係取得部」（１９０３）と、「指向性スピーカ制御部」（１９０４）と、「反射音マイク部」（１９０５）とを有する。「指向性スピーカ制御部」（１９０４）は「フィードバック制御手段」（１９０６）を有する。「反射音マイク部」（１９０５）と「フィードバック制御手段」（１９０６）以外の構成については前述したとおりであるので、ここでの説明は省略する。
【００７４】
「反射音マイク部」（１９０５）とは、反射音を拾うためのマイク機能を有する。「反射音マイク部」（１９０５）は１つでもよく、指向性スピーカの数と同じだけ備えていてもよい。
【００７５】
「フィードバック制御手段」（１９０６）とは、反射音マイク部（１９０５）にて拾った反射音に基づいて指向性スピーカを制御する機能を有する。具体的には、指向性スピーカが出力する音声信号と、反射音マイク部（１９０５）が拾った反射音信号とを比較し制御する。そして当該比較結果に基づいて、複数の指向性スピーカから出力された音のそれぞれの反射音の遅延、周波数特性の調整を行い、音声信号の増幅、指向性信号への変調などを行う。なお、単に複数の指向性スピーカから出力された音のそれぞれの反射音を比較し、当該比較結果に基づいて制御するように構成されていてもよい。
<実施形態６：ハードウェア上における処理の具体例>
【００７６】
図２０は、本実施形態のプロジェクタ装置のハードウェア構成の一例を示す。以下、図５を用いてプロジェクタ装置におけるハードウェア上の処理動作について説明する。プロジェクタ装置は、各種演算処理を行う「ＣＰＵ」（２００１）と、「主メモリ」（２００２）と、「記憶装置」（２００３）を有している。また、映像を投影する「投影光学系Ｉ／Ｆ」（２００４）、「投影光学系」（２００８）及び音を出力する「指向性スピーカＩ／Ｆ」（２００５）、「指向性スピーカ」（２００９）、入力を受付ける「入力Ｉ／Ｆ」（２００６）と、「マイクＩ／Ｆ」（２００７）と「マイク」（２０１０）とを有する。
【００７７】
「入力インタフェース」（２００６）により映像の投影操作が開始されると、「主メモリ」（２００２）に相対性位置関係取得プログラムが呼び出され「ＣＰＵ」（２００１）にて実行され、相対的位置関係を取得する。そして「主メモリ」（２００２）に指向性スピーカ制御プログラムが呼び出され、「ＣＰＵ」（２００１）にて実行し、相対的位置関係に基づいて指向性スピーカ制御命令がなされ、当該命令に基づいて「指向性スピーカＩ／Ｆ」（２００５）により「指向性スピーカ」（２００８）が制御される。その後、「指向性スピーカ」（２００８）の反射音を「マイクＩ／Ｆ」（２００７）を介して「マイク」（２０１０）が拾う。そして、フィードバック制御プログラムが呼び出され「ＣＰＵ」（２００１）にて実行される。その後、そして「主メモリ」（２００２）に指向性スピーカ制御プログラムが呼び出され、「ＣＰＵ」（２００１）にて実行し、フィードバック制御命令がなされ、当該命令に基づいて「指向性スピーカＩ／Ｆ」（２００５）により「指向性スピーカ」（２００８）が制御される。
<実施形態６：処理の流れ>
【００７８】
図２１に本実施形態に係るプロジェクタ装置の処理の流れを示すフロー図を例示する。
【００７９】
最初にスクリーン面に映像を投影する（Ｓ２１０１）。そしてスクリーン面に投影された映像との相対的位置関係を取得し（Ｓ０２１０２）、取得した相対的位置関係と入力情報に基づいて指向性スピーカを制御する（Ｓ２１０３）。次に制御した指向性スピーカから音声を出力し（Ｓ２１０４）、マイクでその反射音を拾う（Ｓ２１０５）。そして反射音に基づいて指向性スピーカを制御する（Ｓ２１０６）。
<実施形態６：効果>
【００８０】
本実施形態によれば、視聴者が実際に聞く反射音に基づいて複数の指向性スピーカから出力される音声を調整するので、視聴者にとってより高品質な音を実現できる。
<<実施形態７>>
<実施形態７：概要>
【００８１】
本実施形態は、プロジェクタ装置と電子機器とからなるプロジェクタシステムであって、コンテンツ、指向性スピーカ、相対的位置関係取得部、指向性スピーカ制御部を電子機器が有することを特徴とするプロジェクタシステムについて説明する。
<実施形態７：構成>
【００８２】
本実施形態にかかるプロジェクタシステムの機能ブロック図を図２２に示す。プロジェクタシステム（２２００）は、「プロジェクタ装置」（２２０１）と、「電子機器」（２２０２）を有する。「プロジェクタ装置」（２２０１）は、「映像投射部」（２２０３）を有する。「電子機器」（２２０２）は、「コンテンツ出力部」（２２０４）と、「外部指向性スピーカ」（２２０５）と、「外部相対的位置関係取得部」（２２０６）と、「外部指向性スピーカ制御部」（２２０７）とを有する。「プロジェクタ装置」（２２０１）と「映像投射部」（２２０３）については前述したとおりであるので、ここでの説明は省略する。
【００８３】
「電子機器」（２２０２）は後述する「コンテンツ出力部」（２２０４）と、「外部指向性スピーカ」（２２０５）と、「外部相対的位置関係取得部」（２２０６）と、「外部指向性スピーカ制御部」（２２０７）を有するものであれば特に限定しない。具体的には、パーソナルコンピュータや携帯電話、デジタルカメラ、ＤＶＤ、ＨＤＤレコーダ、ミュージックプレイヤーなどが該当する。
【００８４】
「コンテンツ出力部」（２２０４）とは、プロジェクタ装置（２２０１）の映像投射部（２２０３）に対して映像、音声などのコンテンツを出力する機能を有する。「電子機器」（２２０２）が記憶、保持するコンテンツの他、「電子機器」（２２０２）が無線通信等により一時的に取得したコンテンツでもよい。
【００８５】
「外部指向性スピーカ」（２２０５）とは、前記実施形態に記載の指向性スピーカと同機能を有する。
【００８６】
「外部相対的位置関係取得部」（２２０６）とは、前記実施形態に記載の相対的位置関係取得部と同機能を有する。ここで、スクリーン面に投影される映像との相対的位置関係とは、電子機器（２２０２）との相対的位置関係も含まれる。
【００８７】
「外部指向性スピーカ制御部」（２２０７）とは、前記実施形態に記載の指向性スピーカ制御部と同機能を有する。
<実施形態７：ハードウェア上における処理の具体例>
【００８８】
図２３は、本実施形態のプロジェクタ装置及び電子機器のハードウェア構成の一例を示す。以下、図２３を用いてプロジェクタ装置及び電子機器におけるハードウェア上の処理動作について説明する。プロジェクタ装置は、各種演算処理を行う「ＣＰＵ」（２３０１）と、「主メモリ」（２３０２）と、「記憶装置」（２３０３）を有している。また、映像を投影する「投影光学系Ｉ／Ｆ」（２３０４）、「投影光学系」、外部機器と通信する「通信Ｉ／Ｆ」（２３０５）、入力を受付ける「入力Ｉ／Ｆ」（２３０６）と、を有する。
【００８９】
また、電子機器は、各種演算処理を行う「ＣＰＵ」（２３０７）と、「主メモリ」（２３０８）と、「記憶装置」（２３０９）を有している。また、音声を出力する「外部指向性スピーカＩ／Ｆ」（２３１０）、「外部指向性スピーカ」、外部機器と通信する「通信Ｉ／Ｆ」（２３１１）、入力を受付ける「入力Ｉ／Ｆ」（２３１２）と、を有する。
【００９０】
プロジェクタ装置は「通信Ｉ／Ｆ」（２３０５）を介して電子機器のコンテンツを取得し、コンテンツの投影操作を開始する。次に、電子機器の「主メモリ」（２３０８）に外部相対性位置関係取得プログラムが呼び出され「ＣＰＵ」（２３０７）にて実行され、外部相対的位置関係を取得する。そして「主メモリ」（２３０８）に指向性スピーカ制御プログラムが呼び出され、「ＣＰＵ」（２３０７）にて実行し、外部相対的位置関係に基づいて指向性スピーカ制御命令がなされ、当該命令に基づいて「外部指向性スピーカＩ／Ｆ」（２３１０）により「指向性スピーカ」が制御される。
<実施形態７：処理の流れ>
【００９１】
図２４に本実施形態に係るプロジェクタシステムの処理の流れを示すフロー図を例示する。
【００９２】
最初に電子機器に記憶されている映像をプロジェクタ装置に出力し（Ｓ２４０１）、スクリーン面に映像を投影する（Ｓ２４０２）。そしてスクリーン面に投影された映像との相対的位置関係を電子機器が取得し（Ｓ０２４０３）、取得した相対的位置関係と入力情報に基づいて電子機器が指向性スピーカを制御する（Ｓ２４０４）。次に電子機器の指向性スピーカから音声を出力する（Ｓ２４０５）。
<実施形態７：効果>
【００９３】
本実施形態によれば、コンテンツの記憶機能、スピーカ機能を有していないプロジェクタ装置であっても、外部の電子機器の当該機能を利用して前記実施形態と同様の効果が得られる。
<<実施形態８>>
<実施形態８：概要>
【００９４】
本実施形態は、プロジェクタ装置にコンテンツを出力する電子気機器であって、スクリーン面に投影される映像との相対的位置関係情報を取得し、当該情報に基づいて指向性スピーカを制御することを特徴とする電子機器について説明する。
<実施形態８：構成>
【００９５】
本実施形態に係るプロジェクタ装置の機能ブロック図を図２５に示す。電子機器（２５００）は、「コンテンツ出力部」（２５０１）と、「第二指向性スピーカ」（２５０２）と、「第二相対的位置関係取得部」（２５０３）と、「第二指向性スピーカ制御部」（２５０４）と、を有する。「コンテンツ出力部」（２５０１）は前記実施形態７に記載したとおりであるのでここでの説明は省略する。
【００９６】
「第二指向性スピーカ」（２５０２）とは、プロジェクタ装置がコンテンツを投影しているスクリーン面に対して指向性のある音を反射させてスクリーン観察者にスクリーン面の所定位置からの音像を形成するように音声を出力する機能を有する。前記実施形態に記載の指向性スピーカ及び外部指向性スピーカと同機能である。
【００９７】
「第二相対的位置関係取得部」（２５０３）とは、スクリーン面に投影される映像との相対的位置関係を取得する機能を有する。前記実施形態に記載の相対的位置関係取得部及び外部相対的位置関係取得部と同機能である。
【００９８】
「第二指向性スピーカ制御部」（２５０４）とは、取得した相対的位置関係を利用して第二指向性スピーカを制御する機能を有する。前記実施形態に記載の指向性スピーカ制御部及び外部指向性スピーカ制御部と同機能である。
<実施形態８：ハードウェア上における処理の具体例>
【００９９】
図２６は、本実施形態の電子機器のハードウェア構成の一例を示す。以下、図２６を用いて電子機器におけるハードウェア上の処理動作について説明する。電子機器は、各種演算処理を行う「ＣＰＵ」（２６０１）と、「主メモリ」（２６０２）と、「記憶装置」（２６０３）を有している。また、音声を出力する「第二指向性スピーカＩ／Ｆ」（２６０４）、「第二指向性スピーカ」（２６０７）、外部機器と通信する「通信Ｉ／Ｆ」（２６０５）、入力を受付ける「入力Ｉ／Ｆ」（２６０６）と、を有する。これらの処理動作は前記プロジェクタ装置に関する実施形態に記載したとおりである。
<実施形態８：処理の流れ>
【０１００】
図２７に本実施形態に係る電子機器の処理の流れを示すフロー図を例示する。
【０１０１】
最初にプロジェクタ装置にコンテンツを出力する（Ｓ２７０１）。プロジェクタ装置はスクリーン面に映像を投影する（Ｓ２７０２）。またスクリーン面に投影された映像との相対的位置関係を取得し（Ｓ０２７０３）、取得した相対的位置関係を利用して指向性スピーカを制御する（Ｓ２７０４）。
<実施形態８：効果>
【０１０２】
コンテンツの記憶機能、スピーカ機能を有していないプロジェクタ装置であっても、本実施形態の電子機器の当該機能を利用して前記実施形態に記載のプロジェクタ装置と同様の効果が得られる。
【図面の簡単な説明】
【０１０３】
【図１】本発明の概要図
【図２】実施形態１の機能ブロック図
【図３】実施形態１の機能ブロック図
【図４】実施形態１の機能ブロック図
【図５】実施形態１のハードウェア構成図
【図６】実施形態１の処理フロー図
【図７】実施形態２の機能ブロック図
【図８】実施形態２のハードウェア構成図
【図９】実施形態２の処理フロー図
【図１０】実施形態３の機能ブロック図
【図１１】実施形態３のハードウェア構成図
【図１２】実施形態３の処理フロー図
【図１３】実施形態４の機能ブロック図
【図１４】実施形態４のハードウェア構成図
【図１５】実施形態４の処理フロー図
【図１６】実施形態５の機能ブロック図
【図１７】実施形態５のハードウェア構成図
【図１８】実施形態５の処理フロー図
【図１９】実施形態６の機能ブロック図
【図２０】実施形態６のハードウェア構成図
【図２１】実施形態６の処理フロー図
【図２２】実施形態７の機能ブロック図
【図２３】実施形態７のハードウェア構成図
【図２４】実施形態７の処理フロー図
【図２５】実施形態８の機能ブロック図
【図２６】実施形態８のハードウェア構成図
【図２７】実施形態８の処理フロー図
【図１】
2010056710.tif 000003
【図２】
2010056710.tif 000004
【図３】
2010056710.tif 000005
【図４】
2010056710.tif 000006
【図５】
2010056710.tif 000007
【図６】
2010056710.tif 000008
【図７】
2010056710.tif 000009
【図８】
2010056710.tif 000010
【図９】
2010056710.tif 000011
【図１０】
2010056710.tif 000012
【図１１】
2010056710.tif 000013
【図１２】
2010056710.tif 000014
【図１３】
2010056710.tif 000015
【図１４】
2010056710.tif 000016
【図１５】
2010056710.tif 000017
【図１６】
2010056710.tif 000018
【図１７】
2010056710.tif 000019
【図１８】
2010056710.tif 000020
【図１９】
2010056710.tif 000021
【図２０】
2010056710.tif 000022
【図２１】
2010056710.tif 000023
【図２２】
2010056710.tif 000024
【図２３】
2010056710.tif 000025
【図２４】
2010056710.tif 000026
【図２５】
2010056710.tif 000027
【図２６】
2010056710.tif 000028
【図２７】
2010056710.tif 000029